(57)【要約】【課題】拭き残しや拭き忘れがないタッチパネル清掃方法を提供することを目的とする。【解決手段】清掃時に表示する複数の清掃時画面を記憶する清掃画面記憶部４を備え、タッチパネル２から入力される位置座標信号に基づいて清掃画面記憶部４内の第一の清掃時画面を画面表示部に表示させる清掃モード開始工程と、タッチパネル２から入力される位置座標信号に基づいて清掃画面記憶部４内の第二の清掃時画面を画面表示部に順次表示させる清掃画面更新工程と、清掃時画面表示中にタッチパネル２から入力される位置座標信号に基づいて清掃画面更新工程による表示処理を終了させる清掃モード終了工程とを含んでいる。これにより、清掃モードにおいてタッチパネル２をタッチする場所より順次新たな画面が表示され、タッチしていない範囲が分かり、拭き残しや拭き忘れがない。【選択図】図１
2005301569.tif 000002
【特許請求の範囲】
【請求項１】
画面を表示する画面表示部と、前記画面表示部の前面に設けられて前記画面のタッチ操作によって前記画面の位置座標信号を入力するタッチパネルと、清掃時に表示する複数の清掃時画面を記憶する清掃画面記憶部とを備え、前記タッチパネルから入力される位置座標信号に基づいて前記清掃画面記憶部内の第一の清掃時画面を前記画面表示部に表示させる清掃モード開始工程と、タッチパネルから入力される位置座標信号に基づいて前記清掃画面記憶部内の第二の清掃時画面を前記画面表示部に順次表示させる清掃画面更新工程と、清掃時画面表示中にタッチパネルから入力される位置座標信号に基づいて前記清掃画面更新工程による表示処理を終了させる清掃モード終了工程とを含んでいるタッチパネル清掃方法。
【請求項２】
清掃モード終了工程は、清掃時画面表示中にタッチパネルから入力される位置座標信号が所定の座標範囲を網羅すると清掃画面更新工程による表示処理を終了させる請求項１に記載のタッチパネル清掃方法。
【請求項３】
第二の清掃時画面は広告等の使用者に対しての有益な所定の情報を含んでいる請求項１に記載のタッチパネル清掃方法。
【請求項４】
時間を計測して時刻信号を発生する計時部を設け、清掃モード開始工程とともに計時を開始して所定の時刻信号を前記計時部が発生すると再度清掃モード開始工程を実行する清掃画面復帰工程を含んでいる請求項１に記載のタッチパネル清掃方法。
【請求項５】
時間を計測して時刻信号を発生する計時部を設け、清掃モード開始工程とともに計時を開始して所定の時刻信号を前記計時部が発生するまでに清掃モード終了工程を実行した場合に広告等の使用者に対しての有益な所定の情報を画面表示部に表示する情報表示工程を含んでいる請求項１に記載のタッチパネル清掃方法。
【請求項６】
請求項１〜５のいずれか１項に記載のタッチパネル清掃方法における機能の少なくとも一部をコンピュータに実行させるためのプログラム。
【発明の詳細な説明】
【技術分野】
【０００１】
本発明は、タッチパネルが設けられた画面表示部の画面を清掃するタッチパネル清掃方法およびそのプログラムに係わり、特に、清掃用画面を表示中のタッチパネルから受ける位置座標信号をもとにして画面の拭き残しをなくすようにしたものである。
【背景技術】
【０００２】
一般に、携帯端末等の押しボタンスイッチのスペースが取れないような情報処理システムでは、画面表示部に表示された画面を指やペンで押すことにより入力を行うタッチパネルが広く用いられている。タッチパネルは画面が頻繁に触られるため、定期的に画面の清掃が必要である。
【０００３】
この清掃方法としては、情報処理システムを稼働させた状態で画面を清掃する場合、タッチパネルの反応による誤動作を阻止するために、清掃モードに入ると、タッチパネルの反応を無視してタイムアウトまでにタオル等によって拭くことで清掃を行い、タイムアウトで清掃モードを終えることが行われている（例えば、特許文献１参照）。
【特許文献１】特開平０８−２２３７５号公報
【発明の開示】
【発明が解決しようとする課題】
【０００４】
しかしながら、前記従来の方法では、タイムアウトまでに清掃を行うこととすると、時間内に拭ききれずに拭き残しがあったり、拭き忘れの場所が残ったりする課題があった。
【０００５】
本発明は、前記従来の課題を解決するもので、拭き残しや拭き忘れがないタッチパネル清掃方法およびそのプログラムを提供することを目的とする。
【課題を解決するための手段】
【０００６】
前記従来の課題を解決するために、本発明のタッチパネル清掃方法およびそのプログラムは、清掃時に表示する複数の清掃時画面を記憶する清掃画面記憶部を備え、タッチパネルから入力される位置座標信号に基づいて清掃画面記憶部内の第一の清掃時画面を画面表示部に表示させる清掃モード開始工程と、タッチパネルから入力される位置座標信号に基づいて清掃画面記憶部内の第二の清掃時画面を画面表示部に順次表示させる清掃画面更新工程と、清掃時画面表示中にタッチパネルから入力される位置座標信号に基づいて清掃画面更新工程による表示処理を終了させる清掃モード終了工程とを含んでいるものである。
【０００７】
これによって、清掃モードにおいてタッチパネルをタッチする場所より順次新たな画面が表示されるので、タッチしていない範囲が分かり、拭き残しや拭き忘れがない。
【発明の効果】
【０００８】
本発明のタッチパネル清掃方法およびそのプログラムは、拭き残しや拭き忘れをせずにタッチパネルの清掃を行うことができる。
【発明を実施するための最良の形態】
【０００９】
第１の発明は、画面を表示する画面表示部と、前記画面表示部の前面に設けられて前記画面のタッチ操作によって前記画面の位置座標信号を入力するタッチパネルと、清掃時に表示する複数の清掃時画面を記憶する清掃画面記憶部とを備え、前記タッチパネルから入力される位置座標信号に基づいて前記清掃画面記憶部内の第一の清掃時画面を前記画面表示部に表示させる清掃モード開始工程と、タッチパネルから入力される位置座標信号に基づいて前記清掃画面記憶部内の第二の清掃時画面を前記画面表示部に順次表示させる清掃画面更新工程と、清掃時画面表示中にタッチパネルから入力される位置座標信号に基づいて前記清掃画面更新工程による表示処理を終了させる清掃モード終了工程とを含んでいるタッチパネル清掃方法とすることにより、清掃モードにおいてタッチパネルをタッチする場所より順次新たな画面が表示されるので、タッチしていない範囲が分かり、拭き残しや拭き忘れがなく、タッチパネルの清掃を行うことができる。
【００１０】
第２の発明は、特に、第１の発明において、清掃モード終了工程は、清掃時画面表示中にタッチパネルから入力される位置座標信号が所定の座標範囲を網羅すると清掃画面更新工程による表示処理を終了させることにより、画面全てが清掃された時点で清掃モードを終了することができる。
【００１１】
第３の発明は、特に、第１の発明において、第二の清掃時画面は広告等の使用者に対しての有益な所定の情報を含んでいることにより、タッチパネルの全ての位置を清掃することで有益な情報を見ることができるので、拭き残しを作らず全ての位置を清掃することができる。
【００１２】
第４の発明は、特に、第１の発明において、時間を計測して時刻信号を発生する計時部を設け、清掃モード開始工程とともに計時を開始して所定の時刻信号を前記計時部が発生すると再度清掃モード開始工程を実行する清掃画面復帰工程を含んでいることにより、所定時間内に画面全てを清掃できなければ再び最初から清掃を行うことになり、短時間にタッチパネル全体を清掃することができる。
【００１３】
第５の発明は、特に、第１の発明において、時間を計測して時刻信号を発生する計時部を設け、清掃モード開始工程とともに計時を開始して所定の時刻信号を計時部が発生するまでに清掃モード終了工程を実行した場合に、広告等の使用者に対しての有益な所定情報を画面表示部に表示する情報表示工程を含んでいることにより、所定時間内に画面全てを清掃できれば有益な情報を見ることができるので、より早くタッチパネルの全面を清掃することを促すことができる。
【００１４】
第６の発明は、特に、第１〜第５のいずれか１つの発明のタッチパネル清掃方法における機能の少なくとも一部をコンピュータに実行させるためのプログラムとすることにより、記録媒体や通信回線でのダウンロードによって運用途中でのプログラムの変更や追加を行うことができ、新たな仕様変更に対応できる。
【００１５】
以下、本発明の実施の形態について、図面を参照しながら説明する。なお、本実施の形態によって本発明が限定されるものではない。
【００１６】
（実施の形態１）
図１、図２は、本発明の実施の形態１におけるタッチパネル清掃方法を示すものである。
【００１７】
図１において、画面を表示する画面表示部１はＣＲＴや液晶パネルによって構成しており、タッチパネル２は画面表示部１の前面に設けられて画面のタッチ操作によって画面の位置座標信号を入力し、表示処理部３は画面表示部１への表示画面の制御を行い、清掃画面記憶部４は清掃開始時に表示する第一の清掃時画面と清掃後に表示する第二の清掃時画面の２枚の清掃時画面を記憶している。例えば、第一の清掃時画面は全面黒の表示で、第二の清掃時画面は前面白とする。
【００１８】
次に、以上のように構成された情報処理システムによるタッチパネル清掃方法について、図２に示したフローチャートを用いて説明する。
【００１９】
まず、表示処理部３はメニュー画面を画面表示部１に表示させている。メニュー画面は、清掃モード切替アイコン（図示せず）を表示している。ここで、操作者が清掃モード切替アイコンをタッチ操作すると、タッチパネル２はタッチされた位置座標信号を表示処理部３に入力する。
【００２０】
表示処理部３は、入力された位置座標信号がメニュー画面の清掃モード切替アイコンであることを認識して（Ｓ１）、メニュー画面に代えて清掃画面記憶部４内の第一の清掃時画面を表示するように画面表示部１を制御して清掃モードに入る（Ｓ２）。このとき、画面は全面黒表示となる。
【００２１】
清掃モードにおいて、操作者が第一の清掃時画面上をタオル等で拭くと、タッチパネル２により拭いた位置座標信号が表示処理部３に入力され（Ｓ３）、表示処理部３は、拭いた位置のみ清掃画面記憶部４内の第二の清掃時画面を画面表示部１に順次表示させる（Ｓ４）。つまり、拭いた部分のみ画面が白く表示される。
【００２２】
そして、操作者の清掃により全ての位置座標信号が表示処理部３に入力されると、画面表示部１には第二の清掃画面の全体が表示され（Ｓ５）、一定時間（例えば１０秒）の後に表示処理部３はメニュー画面を画面表示部１へ表示し、清掃モードを終了する（Ｓ６）。
【００２３】
以上のように、タッチパネル２から入力される位置座標信号に基づいて清掃画面記憶部４内の第一の清掃時画面を画面表示部１に表示させる清掃モード開始工程と、タッチパネル２から入力される位置座標信号に基づいて清掃画面記憶部４内の第二の清掃時画面を画面表示部１に順次表示させる清掃画面更新工程と、清掃時画面表示中にタッチパネル２から入力される位置座標信号に基づいて清掃画面更新工程による表示処理を終了させる清掃モード終了工程とを含んでいるタッチパネル清掃方法とすることで、タッチパネル２を清掃した場所のみ画面表示が変化して拭き残しの場所がわかり、全体の清掃が完了すると清掃モードを終了する。これにより、拭き忘れや拭き残しがなくタッチパネルの全面を清掃することができる。
【００２４】
なお、本実施の形態では、清掃画面記憶部４で記憶する清掃時画面を２枚としたが、さらに清掃時画面を増やすこととすれば、拭く度に画面の色が薄くなるようにしたりすることができ、繰り返して拭いた場所が認識しやすくなり、より念入りに清掃する場合に有効である。
【００２５】
また、本実施の形態では、第二の清掃時画面を全面白としたが、広告や写真画像等の使用者に対しての有益な所定の情報を含んだ画面とすれば、清掃を完全に行うことで全体の情報が見られるため、清掃をより確実に行うことができる。
【００２６】
（実施の形態２）
図３、図４は、本発明の実施の形態２におけるタッチパネル清掃方法を示すものである。実施の形態１と同一要素は同一符号を付して説明を省略する。
【００２７】
本実施の形態において、実施の形態１と異なる点は、時間を計測して時刻情報を発生する計時部５を設けていることである。すなわち、表示処理部３の指示でタイマ起動を行って計時を開始してあらかじめ設定された時間を経過するとタイムアウトを表示処理部３へ通知するものである。
【００２８】
次に、以上のように構成された情報処理システムによるタッチパネル清掃方法について、図４に示したフローチャートを用いて説明する。
【００２９】
まず、実施の形態１と同様に、表示処理部３はメニュー画面を画面表示部１に表示させている。メニュー画面は、清掃モード切替アイコンを表示している。
【００３０】
ここで、操作者が清掃モード切替アイコンをタッチ操作すると、タッチパネル２はタッチされた位置座標信号を表示処理部３に入力する。表示処理部３は、入力された位置座標信号がメニュー画面の清掃モード切替アイコンであることを認識して（Ｓ１）、メニュー画面に代えて清掃画面記憶部４内の第一の清掃時画面を表示するように画面表示部１を制御して清掃モードに入る（Ｓ２）。このとき、画面は全面黒表示となる。さらに、表示処理部３は計時部５へタイマ起動を指示する（Ｓ７）。
【００３１】
清掃モードにおいて、操作者が第一の清掃時画面上をタオル等で拭くと、タッチパネル２により拭いた位置座標信号が表示処理部３に入力され（Ｓ３）、表示処理部３は、拭いた位置のみ清掃画面記憶部４内の第二の清掃時画面を画面表示部１に順次表示させる（Ｓ４）。つまり、拭いた部分のみ画面が白く表示される。
【００３２】
そして、あらかじめ定めた時間（例えば、３０秒）が経過すると、計時部５は、タイムアウトを表示処理部３へ通知する。表示処理部３は操作者のタッチ操作により全ての位置座標信号が表示処理部３に入力されていなければ（Ｓ８）、清掃画面記憶部４内の第一の清掃時画面を表示するように画面表示部１を制御して清掃モードの開始に戻る（Ｓ２）。
【００３３】
計時部５よりタイムアウトを通知される前に操作者のタッチ操作により全ての位置座標信号が表示処理部３に入力されると、画面表示部１には第二の清掃画面の全体が表示され（Ｓ５）、一定時間（例えば１０秒）の後に表示処理部３はメニュー画面を画面表示部１へ表示して清掃モードを終了する（Ｓ６）。
【００３４】
以上のように、清掃モード開始工程とともに計時を開始して所定の時刻信号を計時部５が発生すると再度清掃モード開始工程を実行する清掃画面復帰工程を含んでいることにより、清掃を行っている時間が遅ければタイムアウトが発生して第一の清掃時画面を表示して、最初から清掃することになるので、より早くより丁寧にタッチパネルの全面を清掃することができる。
【００３５】
（実施の形態３）
次に、図５に基き、本発明の実施の形態３におけるタッチパネル清掃方法について説明する。情報処理システムの構成は実施の形態２と同じである。
【００３６】
本実施の形態において、実施の形態２と異なる点は、計時部５のタイマタイムアウトの処理である。
【００３７】
図において、まず、表示処理部３はメニュー画面を画面表示部１に表示させている。メニュー画面は、清掃モード切替アイコンを表示している。ここで、操作者が清掃モード切替アイコンをタッチ操作すると、タッチパネル２はタッチされた位置座標信号を表示処理部３に入力する。
【００３８】
表示処理部３は、入力された位置座標信号がメニュー画面の清掃モード切替アイコンであることを認識して（Ｓ１）、メニュー画面に代えて清掃画面記憶部４内の第一の清掃時画面を表示するように画面表示部１を制御して清掃モードに入る（Ｓ２）。このとき、画面は全面黒表示となる。さらに、表示処理部３は計時部５へタイマ起動を指示する（Ｓ７）。
【００３９】
清掃モードにおいて、操作者が第一の清掃時画面上をタオル等で拭くと、タッチパネル２により拭いた位置座標信号が表示処理部３に入力され（Ｓ３）、表示処理部３は、拭いた位置のみ清掃画面記憶部４内の第二の清掃時画面を画面表示部１に順次表示させる（Ｓ４）。つまり、拭いた部分のみ画面が白く表示される。
【００４０】
そして、あらかじめ定めた時間（例えば、３０秒）が経過すると、計時部５は、タイムアウトを表示処理部３へ通知する。計時部５よりタイムアウトを通知される前に操作者のタッチ操作により全ての位置座標信号が表示処理部３に入力されると（Ｓ８）、画面表示部１には広告や写真画像等の使用者に対しての有益な所定情報を含んだ画面を表示し（Ｓ９）、一定時間（例えば、１分）の後に表示処理部３はメニュー画面を画面表示部１へ表示して清掃モードを終了する（Ｓ６）。
【００４１】
以上のように、清掃モード開始工程とともに計時を開始して所定の時刻信号を計時部５が発生するまでに清掃モード終了工程を実行した場合に、広告等の使用者に対しての有益な所定情報を画面表示部に表示する情報表示工程を含んでいることにより、所定時間内に画面全てを清掃できれば有益な情報を見ることができるので、より早くタッチパネルの全面を清掃することを促すことができる。
【００４２】
なお、上記の各実施の形態１〜３では、清掃モード開始時に表示される第一の清掃時画面を全面黒の表示としたが、広告等の情報画面を表示することとすれば、清掃開始時よりさらに多くの情報を得ることができる。また、各清掃時画面に清掃モードの残り時間を表示することとすれば、全画面を拭くために必要な速度が認識しやすく、効率よく清掃することができる。
【００４３】
また、これらのタッチパネル清掃方法の全てまたは一部をプログラムやデータで実現することで、情報処理システムのコンピュータを利用して実現することができる。また、そのプログラムやデータを記録した記録媒体を用いることでソフトウエアを汎用マイコンの制御メモリに書き込んだり、データを他の端末へ移動したりする作業が容易にできるため、記録媒体や通信回線でのダウンロードによって運用途中でのプログラムの変更や追加を行うことで新たな仕様変更に対応できる。
【産業上の利用可能性】
【００４４】
本発明のタッチパネル清掃方法およびそのプログラムは、拭き残しや拭き忘れをせずにタッチパネルの清掃を行うことができるので、タッチパネルを用いた携帯端末等の情報通信端末の用途にも適用できる。
【図面の簡単な説明】
【００４５】
【図１】本発明の実施の形態１におけるタッチパネル清掃方法の表示処理部分を示すブロック図
【図２】同タッチパネル清掃方法の清掃時のフローチャート
【図３】本発明の実施の形態２におけるタッチパネル清掃方法の表示処理部分を示すブロック図
【図４】同タッチパネル清掃方法の清掃時のフローチャート
【図５】本発明の実施の形態３におけるタッチパネル清掃方法の清掃時のフローチャート
【符号の説明】
【００４６】
１  画面表示部
２  タッチパネル
３  表示処理部
４  清掃画面記憶部
５  計時部
【図１】
2005301569.tif 000003
【図２】
2005301569.tif 000004
【図３】
2005301569.tif 000005
【図４】
2005301569.tif 000006
【図５】
2005301569.tif 000007